(57)【要約】【課題】  指紋照合処理手段がＵＳＢから供給される電力のみで動作する指紋認証装置を得る。【解決手段】  ホストコンピュータ１にＵＳＢ２によって接続した指紋照合処理手段３の非接触ＩＣカードリーダ・ライター部と指紋認証部７の両者の電源の一方の起動、他方の停止の切替を切替手段８によって行う。  これによって、ＵＳＢ２による供給電力のみによる指紋照合処理手段３の作動が可能になる。したがって、ＵＳＢ２から供給される電力とは別に指紋照合処理手段３に電力を供給するためのケーブル接続を解消でき煩雑な手数を省くことができる。また、指紋照合処理手段３に別の電力を供給するケーブルが不要になって美観が向上する。【選択図】        図１ 
2006012079.tif 000002
【特許請求の範囲】
【請求項１】
ホストコンピュータと、ＵＳＢの制御を行うデバイス制御部、非接触ＩＣカードの通信を制御する非接触ＩＣカード制御部及び指紋の読み込み・照合を行う指紋認証部によって構成されて、上記ホストコンピュータに上記ＵＳＢによって接続された指紋照合処理手段と、この指紋照合処理手段のＩＣカードリーダ・ライター部と上記指紋認証部の両者の電源の一方の起動、他方の停止の切替を行い、上記ＵＳＢによる供給電力のみによって上記指紋照合処理手段を作動させる切替手段とを備えた指紋認証装置。
【請求項２】
ホストコンピュータを、指紋照合を行うための手順を管理し、かつ電源、非接触ＩＣカード通信及び指紋認証部通信制御を行うものとし、また指紋照合処理手段を、非接触ＩＣカード内の指紋データの照合を行う機能を備えたものとしたことを特徴とする請求項１記載の指紋認証装置。
【請求項３】
指紋照合処理手段を、指紋照合を行うための手順を管理し、かつ電源切替、非接触ＩＣカード通信及び指紋認証部通信制御を行って、非接触ＩＣカード内の指紋データの照合を行う機能を備えたものとしたことを特徴とする請求項１記載の指紋認証装置。
【請求項４】
指紋照合処理手段を、ホストコンピュータ側からの指示により、読み込んだ非接触ＩＣカード内の指紋データを上記ホストコンピュータに通知するか、上記指紋照合処理手段内に記憶するかを選択することができる機能を有するものとしたことを特徴とする請求項１記載の指紋認証装置。
【請求項５】
指紋照合処理手段を、ホストコンピュータ側からの指示により、上記指紋照合処理手段内に記憶してある指紋データで指紋認証を行うことができる機能を有するものとしたことを特徴とする請求項１記載の指紋認証装置。
【発明の詳細な説明】
【技術分野】
【０００１】
この発明は、ＩＣカードリーダ・ライターが設けられて、登録された指紋とＩＣカードによって入力された指紋とを照合する指紋認証装置に関する。
【背景技術】
【０００２】
従来の指紋認証装置等の電子装置は、パワーコントロール部はＵＳＢ接続が検出されるとＣＰＵの動作状況からその消費量を監視し、ＵＳＢケーブルから供給される電流が５００ｍＡ以下の場合、スイッチを端子ａに切り換えるように制御する。また、パワーコントロール部は、コンフィギュレーション前において、ＵＳＢケーブルから供給される電流が１００ｍＡ以下になった場合、スイッチを端子ａに切り換えるように制御すると共に、切り換え時、ＵＳＢケーブルからの電流が１００ｍＡを超えないようにレギュレータを制御する。さらに、パワーコントロール部は、ＵＳＢサスペンド時において、スイッチを端子ｂに切り換えるように制御すると共に、レギュレータからバックアップ用電池への出力を停止するように制御する構成にしている。これによって、機器の負荷に応じて入力電力を効率良く切り換えできるように構成されている。なお、このような構成はＵＳＢ対応のデジタルスチルカメラ等に適用できるものである。（特許文献１参照）。
【０００３】
また、従来の指紋認証装置等の電子装置において、パーソナルコンピュータからなるホストコンピュータにＵＳＢで接続される非接触ＩＣカードリーダ・ライター一体指紋認証装置では、ＵＳＢから供給される電力のみでは動作することができず、ＵＳＢから供給される電力とは別の電力を指紋認証装置に供給するようになっている。
【０００４】
【特許文献１】特開２００３−２８０７７１号公報（要約及び要約選択図）
【発明の開示】
【発明が解決しようとする課題】
【０００５】
従来のホストコンピュータにＵＳＢで接続される非接触ＩＣカードリーダ・ライター一体指紋認証装置では、ＵＳＢから供給される電力のみでは動作することができず、ＵＳＢから供給される電力とは別の電力を指紋認証装置に供給するためのケーブルを接続する必要がある。このため、煩雑な手数が掛かり、また別の電力ケーブルを接続することのために美観が損なわれるという問題点があった。
【０００６】
この発明は、かかる問題点を解消するためになされたものであり、指紋照合処理手段がＵＳＢから供給される電力のみで動作する指紋認証装置を得ることを目的とする。
【課題を解決するための手段】
【０００７】
この発明に係る指紋認証装置においては、ホストコンピュータと、ＵＳＢの制御を行うデバイス制御部、非接触ＩＣカードの通信を制御する非接触ＩＣカード制御部及び指紋の読み込み・照合を行う指紋認証部によって構成されて、ホストコンピュータにＵＳＢによって接続された指紋照合処理手段と、この指紋照合処理手段のＩＣカードリーダ・ライター部と指紋認証部の両者の電源の一方の起動、他方の停止の切替を行い、ＵＳＢによる供給電力のみによって指紋照合処理手段を作動させる切替手段とが設けられる。
【発明の効果】
【０００８】
この発明による指紋認証装置は、ホストコンピュータにＵＳＢによって接続された指紋照合処理手段の非接触ＩＣカードリーダ・ライター部と指紋認証部の両者の電源の一方の起動、他方の停止の切替を切替手段によって行う。このため、ＵＳＢによる供給電力のみによって指紋照合処理手段を作動させることができる。したがって、ＵＳＢから供給される電力とは別に指紋照合処理手段に電力を供給するためのケーブル接続を解消できて、煩雑な手数を省く効果がある。また、別の電力ケーブルの接続が不要になって美観を向上する効果がある。
【発明を実施するための最良の形態】
【０００９】
実施の形態１．
図１〜図３は、この発明の実施の形態を示す図で、図１は機器の接続を示す全体構成図、図２は図１の指紋認証装置におけるホストコンピュータと指紋照合処理手段の間の役割分担を説明する状態図、図３は図１の指紋認証装置の制御動作フローを示す図である。図において、パーソナルコンピュータからなるホストコンピュータ１がＵＳＢ（ユニバーサル  シリアル  バス）２によって指紋照合処理手段３に接続される。
【００１０】
また指紋照合処理手段３は、非接触ＩＣカードリーダライター一体指紋認証装置によって形成されて、ＵＳＢ２の制御を行うデバイス制御部４、デバイス制御部４に接続されて非接触ＩＣカード５の通信を制御する非接触ＩＣカード制御部６及びデバイス制御部４に接続されて指紋の読み込み・照合を行う指紋認証部７によって構成されている。そして、非接触ＩＣカード制御部６と指紋認証部７の両者の電源の一方の起動、他方の停止の切替を行う切替手段８が設けられている。
【００１１】
上記のように構成された指紋認証装置において、ホストコンピュータ１によって指紋照合処理手段３が次に述べるように制御される。すなわち図２において、ホストコンピュータ１はデバイス制御部４に対してデバイス制御コマンド２０１で、非接触ＩＣカード制御部６と指紋認証部７の電源切替えを指示する。そして、デバイス制御部４はデバイス制御レスポンス２０２で結果を通知する。
【００１２】
次いで、ホストコンピュータ１は指紋認証部７に対して、指紋制御コマンド２０３で指紋照合を指示する。そして、指紋認証部７は指紋制御レスポンス２０４で照合結果を通知する。次いで、ホストコンピュータ１は非接触ＩＣカード制御部６に対して、ＩＣカードコマンド２０５でＩＣカード情報指紋照合を指示する。そして、非接触ＩＣカード制御部６はＩＣカードレスポンス２０６で読み込んだＩＣカード情報を通知する。
【００１３】
次に、以上説明した指紋照合処理手段３の制御動作、すなわち非接触ＩＣカード５に登録されている指紋データの照合を行う処理フローを図３によって説明する。すなわち、ホストコンピュータ１はデバイス制御部４にキャリアオン指示３０１を通知する。デバイス制御部４は切替手段８を介して非接触ＩＣカード制御部６の電源をＯＮし、非接触ＩＣカード制御部６にキャリアオン指示３０２を通知し非接触ＩＣカード５と通信可能な状態とし、その結果をキャリアオン応答３０３でデバイス制御部４に通知する。
【００１４】
そして、デバイス制御部４はキャリアオン応答３０４で通知された結果をホストコンピュータ１に通知する。また、ホストコンピュータ１は非接触ＩＣカード５と通信できる状態になったことを確認した後、非接触ＩＣカード制御部６に対してＩＣカードコマンド３０５で非接触ＩＣカード５内の指紋データ読み出しを指示する。そして、非接触ＩＣカード制御部６は非接触ＩＣカード５から指紋データを読み出し、ＩＣカードレスポンス３０６で読み込んだ指紋データをホストコンピュータ１に通知する。
【００１５】
また、非接触ＩＣカード５内に登録されているカード内指紋データ３０７を読み込んだホストコンピュータ１は、デバイス制御部４にキャリアオフ指示３０８を通知する。そして、デバイス制御部４は切替手段８を介して非接触ＩＣカード制御部６の電源をＯＦＦし、その結果をキャリアオフ応答３０９でデバイス制御部４に通知する。次に、ホストコンピュータ１は読み込んだカード内指紋データ３０７を照合するためデバイス制御部４に対して指紋制御部起動指示３１０を指示する。
【００１６】
そして、デバイス制御部４は切替手段８を介して指紋認証部７の電源をＯＮし、その結果を指紋制御部起動応答３１１でホストコンピュータ１に通知する。ホストコンピュータ１は指紋認証部７が指紋照合可能な状態になったことを確認して、指紋制御コマンド３１２にカード内指紋データ３０７を付加して指紋認証部７に指紋照合を指示する。また、指紋認証部７はホストコンピュータ１から通知されたカード内指紋データ３１３と、指紋認証部７に置かれたユーザの指紋３１５の指紋照合３１４を実施する。
【００１７】
次いで、指紋照合３１４の結果が指紋制御レスポンス３１６でホストコンピュータ１に通知される。そして、ホストコンピュータ１は照合結果を受け取った後、デバイス制御部４に指紋制御部停止指示３１７で切替手段８を介して指紋認証部７の電源ＯＦＦを指示し、電源ＯＦＦされた結果を指紋制御部停止応答３１８で確認する。
【００１８】
以上説明したように、ホストコンピュータ１にＵＳＢ２によって接続された指紋照合処理手段３の非接触ＩＣカードリーダ・ライター部と指紋認証部７の両者の電源の一方を起動させ、他方を停止させる切替操作を切替手段８によって行う。このため、ＵＳＢ２による供給電力のみによって指紋照合処理手段３を作動させることができる。したがって、ＵＳＢ２から供給される電力とは別に指紋照合処理手段３に電力を供給するためのケーブル接続を解消できて、煩雑な手数を省くことができる。また、別の電力ケーブルが不要になって美観を向上することができる。
【００１９】
実施の形態２．
図４は、この発明の他の実施の形態を示す図で、指紋認証装置の制御動作フローを示す図である。なお、図４の他は前述の図１〜図３と同様に指紋認証装置が構成される。図において、図１〜図３と同符号は相当部分を示す。そして以下、デバイス制御部４によって指紋照合に関する一連の手順を管理する処理フローを図４によって説明する。すなわち、ホストコンピュータ１はデバイス制御部４に照合開始指示４０１を通知する。デバイス制御部４は切替手段８を介して非接触ＩＣカード制御部６の電源をＯＮする。
【００２０】
そして、非接触ＩＣカード制御部６にキャリアオン指示４０２を通知して非接触ＩＣカード５と通信可能な状態とし、その結果を非接触ＩＣカード制御部６はキャリアオン応答４０３でデバイス制御部４に通知する。そして、デバイス制御部４はキャリアオン応答４０３で通知された結果により、非接触ＩＣカード制御部６に対してＩＣカードコマンド４０４で非接触ＩＣカード５内の指紋データ読み出しを指示する。
【００２１】
これにより、非接触ＩＣカード制御部６は非接触ＩＣカード５から指紋データを読み出し、ＩＣカードレスポンス４０５で読み込んだ指紋データをデバイス制御部４に通知する。そして、非接触ＩＣカード５内に登録されているカード内指紋データ４０６を読み込んだデバイス制御部４は非接触ＩＣカード制御部６にキャリアオフ指示４０７を通知する。そして、デバイス制御部４は切替手段８を介して非接触ＩＣカード制御部６の電源をＯＦＦし、その結果をキャリアオフ応答４０８でデバイス制御部４に通知する。
【００２２】
次に、デバイス制御部４は読み込んだカード内指紋データ４０６を照合するため、切替手段８を介して指紋認証部７の電源をＯＮし、指紋認証部７が指紋照合可能な状態になったことを確認して、照合開始４０９によりカード内指紋データ４０６を付加して指紋認証部７に指紋照合を指示する。そして、指紋認証部７はデバイス制御部４から通知されたカード内指紋データ４１０と、指紋認証部７に置かれたユーザの指紋４１２の指紋照合４１１を実施する。
【００２３】
次いで、指紋照合４１１の結果が照合結果４１３でデバイス制御部４に通知され、デバイス制御部４は照合結果を受け取った後、切替手段８を介して指紋認証部７の電源をＯＦＦし、電源ＯＦＦされた結果を確認する。そして、デバイス制御部４は受け取った照合結果４１３をホストコンピュータ１に照合結果４１４で通知する。
【００２４】
以上説明したように、デバイス制御部４により指紋照合に関する一連の手順が管理される。すなわち、ホストコンピュータ１でデバイス制御部４に照合開始４０９を指示し、照合結果４１４で照合結果を受け取る。また、非接触ＩＣカード制御部６の電源ＯＮ／ＯＦＦ、非接触ＩＣカード５内情報の読み込み、指紋認証部７の電源ＯＮ／ＯＦＦ、指紋照合の各処理が全てデバイス制御部４の機能によって管理される。したがって、詳細な説明を省略するが図４の実施の形態においても図１〜図３の実施の形態と同様な作用が得られる。
【００２５】
実施の形態３．
図５も、この発明の他の実施の形態を示す図で、指紋認証装置の制御動作フローを示す図である。なお、図５の他は前述の図１〜図３と同様に指紋認証装置が構成される。図において、図１〜図３と同符号は相当部分を示す。そして以下、非接触ＩＣカード５に登録されている指紋データの照合を行う処理フローを図５によって説明する。すなわち、ホストコンピュータ１はＩＣカードコマンド５０１で非接触ＩＣカード５内の指紋データ読み出しを非接触ＩＣカード制御部６に指示し、また切替手段８を介して非接触ＩＣカード制御部６の電源をＯＮする。
【００２６】
そして、非接触ＩＣカード制御部６は非接触ＩＣカード５から指紋データを読み出し、ＩＣカードレスポンス５０２で読み込んだ指紋データをホストコンピュータ１に通知する。次いで、ホストコンピュータ１は切替手段８を介して指紋認証部７の電源をＯＮし、指紋認証部７が指紋照合可能な状態になったことを確認して、指紋制御コマンド５０４でカード内指紋データ５０３を付加して指紋認証部７に指紋照合を指示する。
【００２７】
そして、指紋認証部７はデバイス制御部４から通知されたカード内指紋データ５０５と、指紋認証部７に置かれたユーザの指紋５０７の指紋照合５０６を実施する。次いで、指紋照合５０６の結果が指紋制御レスポンス５０８でホストコンピュータ１に通知され、ホストコンピュータ１は照合結果を受け取った後、切替手段８を介して指紋認証部７の電源をＯＦＦし、電源ＯＦＦされた結果を確認する。
【００２８】
以上説明したように、非接触ＩＣカード５から読み込んだカード内指紋データ５０３がデバイス制御部４に記憶され、ホストコンピュータ１からの指紋照合指示によってデバイス制御部４がカード内指紋データ５０３を付加し指紋認証部７に通知する。また、非接触ＩＣカード制御部６の電源ＯＮ／ＯＦＦ、非接触ＩＣカード５内情報の読み込み、指紋認証部７の電源ＯＮ／ＯＦＦ、指紋照合の各処理が全てデバイス制御部４の機能によって管理される。したがって、詳細な説明を省略するが図５の実施の形態においても図１〜図３の実施の形態と同様な作用が得られる。
【００２９】
また、図５の実施の形態において非接触ＩＣカード５内の指紋データが、ホストコンピュータ１に通知されず指紋認証装置内から外部に出ることがない。これによって、非接触ＩＣカード５内の情報がホストコンピュータ１を経て流出することがなく、指紋認証装置の情報セキュリティ性を向上することができる。
【００３０】
実施の形態４．
前述の図１〜図３の実施の形態、図４の実施の形態及び図５の実施の形態のそれぞれにおいて、指紋照合処理手段３として非接触ＩＣカードリーダライター一体指紋認証装置を用いた。しかし、図１〜図３の実施の形態等の構成を応用してホストコンピュータ１にＵＳＢ２により接続される他の機器についても、それぞれの機能毎に切替手段８によって機能の一つを起動、他の機能を停止する切替を行うように容易に構成することができる。このように構成された指紋認証装置においても、図１〜図３の実施の形態等と同様な作用を得ることができる。
【図面の簡単な説明】
【００３１】
【図１】この発明の実施の形態１を示す図で、機器の接続を示す全体構成図。
【図２】図１の指紋認証装置におけるホストコンピュータと指紋照合処理手段の間の役割分担を説明する状態図。
【図３】図１の指紋認証装置の制御動作フローを示す図。
【図４】この発明の実施の形態２を示す図で、指紋認証装置の制御動作フローを示す図。
【図５】この発明の実施の形態３を示す図で、指紋認証装置の制御動作フローを示す図。
【符号の説明】
【００３２】
１  ホストコンピュータ、  ２  ＵＳＢ、  ３  指紋照合処理手段、  ４  デバイス制御部、  ５  非接触ＩＣカード、  ６  非接触ＩＣカード制御部、  ７  指紋認証部、  ８  切替手段。
【図１】
2006012079.tif 000003
【図２】
2006012079.tif 000004
【図３】
2006012079.tif 000005
【図４】
2006012079.tif 000006
【図５】
2006012079.tif 000007